(57)【要約】【課題】冊子を折畳まずに封緘でき、単なる開封にとどまることなく楽しみをもって開封でき、しかも、訴求効果が高く、同封されている冊子を読んでみようという意欲を増加させる冊子封緘物を提供する。【解決手段】冊子封緘物１０は、複数のページからなる冊子１１と、冊子１１を収納する収納部１２及び収納部１２の収納口を封緘するフラップ１３が設けられた封緘シート１４と、収納部１２から背側がはみだしている冊子１１の表紙とフラップ１３とを接着する剥離可能な剥離糊１５と、収納部１２に設けられ、収納された冊子１１の一部を外部から視認できる開封窓１６と、収納部１２の天地部分に設けられた剥離不可能な収納用強接着糊１７と、収納用強接着糊１７の内側に沿って設けられたミシン目ｍｃなどとを備える。【選択図】図１
2005053563.tif 000002
【特許請求の範囲】
【請求項１】
複数のページからなる冊子と、
前記冊子を収納する収納部及び前記収納部の収納口を封緘する封緘片が設けられた封緘シートと、
前記封緘片と前記冊子の表紙とを接着する接着層とを備え、
前記封緘片を開封したときに、前記封緘片が前記冊子の表紙を引き出すこと、
を特徴とする冊子封緘物。
【請求項２】
請求項１に記載された冊子封緘物において、
前記収納部は、収納された前記冊子の一部又は全部を外部から視認できる視認用窓部を備えており、
前記封緘片を開封したときに、前記封緘片が前記冊子の表紙を引き出し、前記視認用窓部における視認内容が変化すること、
を特徴とする冊子封緘物。
【請求項３】
請求項１又は請求項２に記載された冊子封緘物において、
前記接着層は、剥離可能であること、
を特徴とする冊子封緘物。
【請求項４】
請求項１から請求項３までのいずれか１項に記載された冊子封緘物において、
前記収納部と折畳まれた前記封緘片とが重なること、
を特徴とする冊子封緘物。
【請求項５】
請求項１から請求項４までのいずれか１項に記載された冊子封緘物において、
前記収納部は、
周縁部の一部又は全部を剥離不可能に封緘する収納用強接着層と、
前記収納用強接着層の内側に沿って設けられた分離予定線と、
を備えること、
を特徴とする冊子封緘物。
【請求項６】
請求項１から請求項４までのいずれか１項に記載された冊子封緘物において、
前記収納部は、周縁部の一部又は全部を剥離可能に封緘する収納用剥離層を備えること、
を特徴とする冊子封緘物。
【請求項７】
請求項１から請求項６までのいずれか１項に記載された冊子封緘物において、
前記封緘片を開封したときに、引き出された前記表紙の前小口側の端部から前記接着層までの長さが、前記収納部の収納口から前記接着層までの長さより短いこと、
を特徴とする冊子封緘物。
【請求項８】
請求項１から請求項７までのいずれか１項に記載された冊子封緘物において、
前記封緘片は、開封のきっかけとなる開封開始部を備えること、
を特徴とする冊子封緘物。
【発明の詳細な説明】
【技術分野】
【０００１】
本発明は、冊子を内部に封緘し、ＤＭ（ダイレクトメール）などに好適に利用できる冊子封緘物に関するものである。
【背景技術】
【０００２】
従来、冊子や販促（販売促進）情報を印刷したチラシは、定形サイズの封筒に封入されて生活者に送付され、開封率を上げるために、開封ミシンの形状に工夫をこらし、開けやすさを追求したものが多く見られる（例えば、特許文献１）。
【０００３】
しかし、上述した従来の技術では、開封作業は、事務的な作業にとどまり、これといって楽しみはなく、開封したものの、同封されている冊子が生活者のニーズに一致していない場合には、冊子にあまり興味を示さないといった問題があった。
【０００４】
また、開封はしても、同封物を取出して、定形サイズに入る様に折畳まれた冊子やチラシを開いてまでみるに至る行動を誘導するには、十分ではなかった。
【０００５】
さらに、大きさの限られた封筒内に冊子を収めるには、冊子自体を小形にするか、折畳まなくてはならないので、小形の冊子では迫力がなく、折りしわのついた冊子では見づらいといった問題があった。
【０００６】
一方、内容の充実した冊子が同封されていたとしても、冊子を開く前に捨てられてしまっては、情報を十分に伝達することができなくなってしまう可能性があった。
【０００７】
【特許文献１】特開２００１−３４１４７０号公報
【発明の開示】
【発明が解決しようとする課題】
【０００８】
本発明の課題は、冊子を折畳まずに封緘でき、単なる開封にとどまることなく楽しみをもって開封でき、しかも、訴求効果が高く、同封されている冊子を読んでみようという意欲を増加させる冊子封緘物を提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、複数のページからなる冊子（１１）と、前記冊子（１１）を収納する収納部（１２）及び前記収納部（１２）の収納口を封緘する封緘片（１３）が設けられた封緘シート（１４）と、前記封緘片（１３）と前記冊子（１１）の表紙とを接着する接着層（１５）とを備え、前記封緘片（１３）を開封したときに、前記封緘片（１３）が前記冊子（１１）の表紙を引き出すこと、を特徴とする冊子封緘物である。
【００１０】
請求項２の発明は、請求項１に記載された冊子封緘物において、前記収納部（１２）は、収納された前記冊子（１１）の一部又は全部を外部から視認できる視認用窓部（１６）を備えており、前記封緘片（１３）を開封したときに、前記封緘片（１３）が前記冊子（１１）の表紙を引き出し、前記視認用窓部（１６）における視認内容が変化すること、を特徴とする冊子封緘物である。
【００１１】
請求項３の発明は、請求項１又は請求項２に記載された冊子封緘物において、前記接着層（１５）は、剥離可能であること、を特徴とする冊子封緘物である。
【００１２】
請求項４の発明は、請求項１から請求項３までのいずれか１項に記載された冊子封緘物において、前記収納部（１２）と折畳まれた前記封緘片（１３）とが重なること、を特徴とする冊子封緘物である。
【００１３】
請求項５の発明は、請求項１から請求項４までのいずれか１項に記載された冊子封緘物において、前記収納部（１２）は、周縁部の一部又は全部を剥離不可能に封緘する収納用強接着層（１７）と、前記収納用強接着層（１７）の内側に沿って設けられた分離予定線（ｍｃ）と、を備えること、を特徴とする冊子封緘物である。
【００１４】
請求項６の発明は、請求項１から請求項４までのいずれか１項に記載された冊子封緘物において、前記収納部（１２）は、周縁部の一部又は全部を剥離可能に封緘する収納用剥離層を備えること、を特徴とする冊子封緘物である。
【００１５】
請求項７の発明は、請求項１から請求項６までのいずれか１項に記載された冊子封緘物において、前記封緘片（１３）を開封したときに、引き出された前記表紙の前小口側の端部から前記接着層（１５）までの長さが、前記収納部（１２）の収納口から前記接着層（１５）までの長さより短いこと、を特徴とする冊子封緘物である。
【００１６】
請求項８の発明は、請求項１から請求項７までのいずれか１項に記載された冊子封緘物において、前記封緘片（１３）は、開封のきっかけとなる開封開始部（１８）を備えること、を特徴とする冊子封緘物である。
【発明の効果】
【００１７】
本発明によれば、以下のような効果がある。
（１）封緘片と冊子の表紙とを接着する接着層を備え、封緘片を開封したときに、封緘片が冊子の表紙を引き出すようにしたので、同封されている冊子の訴求効果を高めることができた。
（２）収納された冊子の一部又は全部を外部から視認できる視認用窓部を備え、封緘片を開封したときに、封緘片が冊子の表紙を引き出し、視認用窓部における視認内容が変化するようにしたので、訴求効果をより高めることができた。
【発明を実施するための最良の形態】
【００１８】
本発明は、開封率を高め、同封されている冊子の訴求効果を高める冊子封緘物を提供するという目的を、封緘片と冊子の表紙とを接着する接着層と、収納された冊子の一部を外部から視認できる視認用窓部を備え、封緘片を開封したときに、冊子の表紙が収納部から飛び出して開き、視認用窓部における視認内容を変化させることにより実現した。
【実施例１】
【００１９】
以下、図面等を参照して、本発明の実施例について、さらに詳しく説明する。
図１は、本発明による冊子封緘物の実施例１を模式的に示す図である。
実施例１による冊子封緘物１０は、複数のページからなる冊子１１と、冊子１１を収納する収納部１２及び収納部１２の収納口を封緘するフラップ１３が設けられた封緘シート１４と、収納部１２から背側がはみだしている冊子１１の表紙とフラップ１３とを接着する剥離可能な剥離糊１５と、収納部１２に設けられ、収納された冊子１１の一部を外部から視認できる開封窓１６と、収納部１２の天地部分に設けられた剥離不可能な収納用強接着糊１７と、収納用強接着糊１７の内側に沿って設けられた開封ミシン目（分離予定線）ｍｃなどとを備える。なお、ここでの表紙とは、表表紙及び／又は裏表紙のことであり、また、冊子１１は、幅の１／２〜２／３程度が、収納部１２に収納されている。
【００２０】
次に、実施例１による冊子封緘物１０の製造方法を説明する。
まず、図１（Ａ）に示すように、冊子１１と、販促情報などの必要事項が印刷された封緘シート１４とを用意し、収納片１２ａの天地部分付近に、収納用強接着糊１７のためのスペースをあけて開封ミシン目ｍｃを切り込み、開封窓１６を切り抜く。また、封緘シート１４は、配送中に折曲がらない程度の剛性を有し、加工適性を満足する、１００〜１６０グラム／ｍ2の用紙を用いた。なお、封緘シート１４は、ＰＰ（ポリプロピレン）加工したものであってもよい。
【００２１】
ついで、図１（Ｂ）に示すように、冊子１１の表出させたい部分と、開封窓１６との位置合わせをしながら冊子１１を仮置きし、収納片１２ａに設けられた開封ミシン目ｍｃの両外側に、収納用強接着糊１７を塗布する。
【００２２】
さらに、図１（Ｃ）に示すように、収納片１２ａを内側に折返し、冊子１１を内部に包み込みながら、収納片１２ｂと接着させることにより収納部１２を形成し、フラップ１３の所定位置に、剥離糊１５を塗布する（所定位置の詳細は後述）。
【００２３】
最後に、図１（Ｄ）に示すように、フラップ１３を内側に折返し、冊子１１の表紙とフラップ１３とを接着し、折畳まれたフラップ１３の端部が収納部１２に重なる。
このようにして、冊子封緘物１０が完成したら、この冊子封緘物１０は、郵送、宅配便などの配送手段によって、生活者に届けられる。なお、指定されたエリアの生活者宅への投げ込みをするポスティング、店頭や駅の広告棚などへの配置を行ってもよい。
【００２４】
次に、図２を参照しながら、冊子封緘物の開封方法について説明する。
図２は、本発明による冊子封緘物の実施例１の開封方法を模式的に示す図である。
まず、図２（Ａ）に示すように、冊子封緘物１０が届いたら、フラップ１３の端部をつまんで、持ち上げる。
【００２５】
ついで、図２（Ｂ）に示すように、フラップ１３を引っ張ると、フラップ１３に接着されている冊子１１の表紙が持ち上がる。
【００２６】
さらに、図２（Ｃ）に示すように、フラップ１３をより引っ張ると、フラップ１３が冊子１１の表紙を引き出すことによって、開封窓１６における視認内容が変化し、図２（Ｄ）に示すように、冊子１１の表紙が完全にめくれる。
【００２７】
そして、図２（Ｅ）に示すように、フラップ１３を完全に開封した後に、図２（Ｆ）に示すように、冊子１１が収納されている収納部１２を開封ミシン目ｍｃにて開封し、収納片１２ａ，１２ｂに記載されている内面広告をみる。
【００２８】
最後に、図２（Ｇ）に示すように、冊子１１を封緘シート１４から分離して確認し、保管する。
【００２９】
ここで、図３を参照しながら、実施例１の冊子封緘物の各種条件について説明する。
図３は、実施例１における冊子封緘物の各部材のサイズを模式的に示す図である。
まず、図３（Ａ）に示すように、収納片１２ａの幅をａ、収納片１２ｂの幅をｂ、フラップ１３の幅をｃ、冊子１１の幅をｗに設定する。
また、図３（Ｂ）に示すように、剥離糊１５を線とみなした場合に、収納部１２の収納口から収納部１２に収納された冊子１１の背までの距離をｘ、収納部１２に収納された冊子１１の背から収納片１２ｂとフラップ１３との境界線までの距離をｙ、収納片１２ｂとフラップ１３との境界線（フラップ１３の収納部１２側の端部）から剥離糊１５までの距離をｚと設定する。
【００３０】
（収納部１２とフラップ１３とが重なる条件）
収納部１２とフラップ１３とが重なる条件は、図３（Ａ）に示すように、収納片１２ａの幅ａとフラップ１３の幅ｃとを加算した長さが、収納片１２ｂの幅ｂより長ければよい。
ａ＋ｃ＞ｂ・・・（１）
このように封緘シート１４を作製すれば、折畳んだ場合に、収納部１２とフラップ１３とが重なる。
【００３１】
（冊子１１と剥離糊１５とが接着する条件）
冊子１１と剥離糊１５とが接着する条件は、図３（Ｂ）に示すように、フラップ１３を折返した場合に、剥離糊１５が、収納部１２からはみだしている冊子１１の表紙上にあればよい。従って、ｚが長すぎて、剥離糊１５が収納部１２に接着しないように、ｚはｘ＋ｙより短く設定しなくてはならず（ｚ＜ｘ＋ｙ）、また、ｚが短すぎて、剥離糊１５が収納片１２ｂに接着しないように、ｚはｙより長く設定しなくてはならない（ｚ＞ｙ）。
ｙ＜ｚ＜ｘ＋ｙ・・・（２）
この条件を満たすように冊子１１と剥離糊１５を配置すれば、冊子１１の表紙と剥離糊１５が接着する。なお、実際には、剥離糊１５の幅も考慮して、値を算出する。
【００３２】
（収納部１２から冊子１１の表紙を完全に引き出す条件）
収納部１２から冊子１１の表紙を完全に引き出す条件は、図３（Ｃ）に示すように、開封時に、引き出された表紙の前小口側の端部から剥離糊１５までの長さｈ１が、収納部１２の収納口から剥離糊１５までの長さｈ２より短ければよいので、ｈ１＜ｈ２、を満たせばよい。なお、封緘前には、冊子１１の背の位置は、収納部１２の収納口からｘの位置にあるが、封緘後には、冊子１１の背の位置は、表紙が引き出されるので、収納部１２の収納口からｘ＋ｙ＋ｙ（ｘ＋２ｙ）の位置にずれる。
そして、ｈ１＝ｗ−（ｚ−ｙ），ｈ２＝ｘ＋ｙ＋ｚであるので、ｘ，ｙ，ｚ，ｗを用いて、ｈ１＜ｈ２、を変形し、
ｗ−（ｚ−ｙ）＜ｘ＋ｙ＋ｚ
となり、式を整理して、
ｗ＜ｘ＋２ｚ・・・（３）
と求まる。
【００３３】
従って、式（３）の条件を満たすように、各種幅や距離を設定すれば、表紙が確実に収納部１２から引き出せ、また、表紙をめくることができる。例えば、冊子１１の幅と、冊子１１を配置する位置があらかじめ決まっている場合には、式（３）を変形し、ｚ＞（ｗ−ｘ）／２として、剥離糊１５を塗布する位置を求めてもよい。
なお、実際には、紙によってコシの強さが異なるため、式（３）を満たしていなくても、表紙が収納部１２から抜ける場合もあるが、最低限、式（３）を満たしていれば、冊子１１の表紙は収納部１２から確実に引き出すことが可能である。
【００３４】
このように、実施例１によれば、フラップ１３と冊子１１の表紙とを剥離糊１５で接着したので、フラップ１３を開封したときに、フラップ１３が冊子１１の表紙を引き出すことができ、これにより、単なる開封のみにとどまらず、同封する販促情報の冊子１１の表紙を開封と連動して開かせることにより、生活者に見せる情報量を増し、送付されてきた冊子１１を見たくなるような紙面構成を工夫することが可能になり、訴求効果をより高めることができる。
【００３５】
また、収納された冊子１１の一部を外部から視認できる開封窓１６を設けたので、フラップ１３を開封したときに、フラップ１３が冊子１１の表紙を引き出し、これにより、冊子１１の表紙の移動に伴って、開封窓１６から見える情報が変化し、さらに中を開けてみたくなる相乗効果を生み出すことができる。
【００３６】
さらに、フラップ１３と冊子１１の表紙とを剥離可能な接着糊で接着したので、開封後は、冊子１１を封緘シート１４から分離して確認し、保管することができる。
【００３７】
さらにまた、冊子１１の幅の１／２〜２／３程度が収納部１２に収納されているように条件を設定することで、フラップ１３は、折畳まれて収納部１２に重なり、収納部１２とフラップ１３とをあえて接着糊で綴じなくても自然開封を防止することが可能となり、開封時に、ミシン目を切ったり、糊部を剥離するといった受けとり手の手間を省くことができ、しかも、開封時のつまみ（開封開始部）も兼用しているので、開封しやすくなる。
【００３８】
一方、収納部１２の天地部分を剥離不可能に接着し、その内側に開封ミシン目ｍｃを設けたので、収納部１２の内部のスペースも無駄にすることなく利用できる。
【００３９】
また、引き出された表紙の前小口側の端部から剥離糊１５までの長さを、収納部１２の収納口から剥離糊１５までの長さより短くしたので、冊子１１の表紙が確実にめくれる。
【００４０】
さらに、上述したように、ｗ＜ｘ＋２ｚの条件を満たすように、ｘ，ｚ，ｗの値を調節したので、冊子１１の表紙がより確実にめくれる。
【実施例２】
【００４１】
図４は、本発明による冊子封緘物の実施例２を模式的に示す図である。
なお、前述した実施例１と同様な機能を果たす部分には、同一の符号又は末尾に統一した符号を付して、重複する説明や図面を適宜省略する。
実施例２の冊子封緘物１０Ａにおける、実施例１の冊子封緘物１０と異なる点は、フラップ１３Ａが凸形状である点と、フラップ１３Ａに、開封のきっかけとなるフラップ引き出し用つまみ（開封開始部）１８が、半円の円弧状に切り込まれている点と、冊子１１の幅ｗが、収納片１２ａの幅ａより短く（ｗ＜ａ）、冊子１１が収納部１２からはみださずに収納されている点である。
【００４２】
次に、実施例２による冊子封緘物１０Ａの製造方法を説明する。
実施例２の冊子封緘物１０Ａの製造方法における、実施例１の冊子封緘物１０と異なる点は、図４（Ｃ）に示すように、フラップ１３Ａを折返してから、図４（Ｄ）に示すように、収納片１２ａを折返し、冊子１１を封緘する点である。これは、フラップ１３Ａの凸部が収納部１２に収まりやすくするためである。
【００４３】
ここで、図４及び図５を参照しながら、実施例２の冊子封緘物の各種条件について説明する。
図５は、実施例２における冊子封緘物の各部材のサイズを模式的に示す図である。
【００４４】
（収納部１２とフラップ１３Ａとが重なる条件）
収納部１２とフラップ１３Ａとが重なる条件、つまり、折返されたフラップ１３Ａが収納部１２の内部に入る条件は、図４（Ａ）に示すように、収納片１２ａの幅ａとフラップ１３Ａの幅ｃとを加算した長さが、収納片１２ｂの幅ｂより長ければよい。
ａ＋ｃ＞ｂ・・・（４）
このように封緘シート１４Ａを作製すれば、折畳んだ場合に、収納部１２とフラップ１３とが重なり、フラップ１３Ａの少なくとも一部が収納部１２の内部に入る。
【００４５】
（冊子１１と剥離糊１５とが接着する条件）
冊子１１と剥離糊１５とが接着する条件は、図４（Ｂ）に示すように、フラップ１３Ａを折返した場合に、剥離糊１５が、冊子１１の表紙上にあればよい。従って、ｚが長すぎて、剥離糊１５が収納片１２ａに接着しないように、ｚはｙ＋ｗより短く設定しなくてはならず（ｚ＜ｙ＋ｗ）、また、ｚが短すぎて、剥離糊１５が収納片１２ｂに接着しないように、ｚはｙより長く設定しなくてはならない（ｚ＞ｙ）。
ｙ＜ｚ＜ｘ＋ｙ・・・（５）
この条件を満たすように冊子１１と剥離糊１５を配置すれば、冊子１１の表紙と剥離糊１５が接着する。なお、実際には、剥離糊１５の幅も考慮して、値を算出する。
【００４６】
（収納部１２から冊子１１の表紙を完全に引き出す条件）
収納部１２から冊子１１の表紙を完全に引き出す条件は、図５に示すように、開封時に、引き出された表紙の前小口側の端部から剥離糊１５までの長さｈ１が、収納部１２の収納口から剥離糊１５までの長さｈ２より短ければよく、ｈ１＜ｈ２、を満たせばよい。
そして、ｈ１＝ｗ−（ｚ−ｙ），ｈ２＝ｙ−ｘ＋ｚであるので、ｘ，ｙ，ｚ，ｗを用いて、ｈ１＜ｈ２、を変形し、
ｗ−（ｚ−ｙ）＜ｙ−ｘ＋ｚ
となり、式を整理して、
ｗ＜２ｚ−ｘ・・・（６）
と求まる。
【００４７】
このように、実施例２によれば、収納部１２に完全に収納されている冊子１１は安定するので、不用意な開封をより防止することができる。
【００４８】
また、フラップ引き出し用つまみ１８を設けたので、開封時に、フラップ１３が引き出しやすくなる。
【００４９】
さらに、上述したように、ｗ＜２ｚ−ｘの条件を満たすように、ｘ，ｚ，ｗの値を調節したので、冊子１１の表紙がより確実にめくれる。
【００５０】
（変形例）
以上説明した実施例に限定されることなく、種々の変形や変更が可能であって、それらも本発明の均等の範囲内である。
（１）  上述した各実施例では、冊子１１のみを同封する例で説明したが、例えば、申込用紙やその他の販促情報チラシ，サンプルなどの同封物を、冊子１１の引き出し動作に影響しない位置に、同封してもよく、また、仮止めして同封してもよい。
【００５１】
（２）  上述した各実施例で、冊子１１は、収納部１２から背側がはみだしている例で説明したが、冊子１１を逆にして、小口側をはみださせ、冊子１１の表紙とフラップ１３と接着させて、引き出してもよい。
【００５２】
（３）  上述した各実施例で、冊子１１の表紙は、収納部１２から完全に引き出され、めくれる例で説明したが、フラップ１３，１３Ａを完全に開封した状態で、冊子１１の表紙が完全にめくれないようにしてもよい。つまり、フラップ１３，１３Ａは、図２（Ｅ）に示すような状態で、冊子１１は、図２（Ｃ）に示すような状態である。このようにすれば、フラップ１３，１３Ａを開封したときに、立体的なデザインで冊子１１をアピールすることができるので、視覚効果の高い冊子封緘物とすることができる。
【００５３】
（４）  上述した各実施例で、収納部１２は、天地部分に設けられた収納用強接着糊１７と開封ミシン目ｍｃとの例で説明したが、収納部１２の周縁部の一部又は全部を剥離可能に封緘する収納用剥離糊を用いてもよい。このようにすれば、収納部１２の開封作業が容易になる。
【００５４】
（５）  図６は、図１，図４に示す封緘シートの変形例を示す図である。上述した各実施例では、封緘シート１４の天地長さと同じ長さの長方形紙片のフラップ１３や、凸部のあるフラップ１３Ａの例で説明したが、例えば、図６（Ａ）に示すように、角を切り落として、切り欠きを設けたフラップ１３Ｂとしてもよい。このようにすれば、生活者が、開封しやすくなる。また、図６（Ｂ）に示すように、端辺に曲線をもたせたフラップ１３Ｃとしてもよい。このようにすれば、例えば、広告のための図柄をフラップ１３Ｃにまたがって記載させる場合に対応しやすいので、封緘シート１４Ｃの内部の紙片と連動した広告に好適に利用できる。さらに、図６（Ｃ）に示すように、天地長さを封緘シート１４Ｄより短くした、フラップ１３Ｄとしてもよい。このようにすれば、封緘シート１４Ｄを折畳んだ場合に、内部の冊子１１や封緘片１２ｂの内部がより表出するので、冊子封緘物の内部をよりアピールすることができる。
【００５５】
（６）  上述した実施例１で、フラップ１３は、収納部１２に重なる例で説明したが、収納部１２と重ならずに、２紙片がぴったり合わさってもよく、また、隙間をもたせてもよい。また、フラップ１３が収納部１２に重なる条件として、ａ＋ｃ＞ｂ・・・（１）を用いて説明したが、２紙片がぴったり合わさるならば、ａ＋ｃ＝ｂ、となり、隙間をもたせるならば、ａ＋ｃ＜ｂの条件となる（図３（Ａ）参照）。
【００５６】
（７）  上述した各実施例で、フラップ１３，１３Ａは、冊子１１の表紙には接着され、収納部１２には接着されていない例で説明したが、収納部１２とフラップ１３，１３Ａとを重ねるときに、剥離可能な糊などで仮止めしてもよい。このようにすれば、送付時の不用意な開封を防止することができる。
【００５７】
（８）  上述した各実施例で、分離予定線は、ミシン目としたが、マイクロミシン目やハーフカットなどの他のカット線でもよい。また、開封性を高めるために、ミシン目をジッパータイプにしてもよい。
【図面の簡単な説明】
【００５８】
【図１】本発明による冊子封緘物の実施例１を模式的に示す図である。
【図２】本発明による冊子封緘物の実施例１の開封方法を模式的に示す図である。
【図３】実施例１における冊子封緘物の各部材のサイズを模式的に示す図である。
【図４】本発明による冊子封緘物の実施例２を模式的に示す図である。
【図５】実施例２における冊子封緘物の各部材のサイズを模式的に示す図である。
【図６】図１，図４に示す封緘シートの変形例を示す図である。
【符号の説明】
【００５９】
１０  冊子封緘物
１１  冊子
１２  収納部
１２ａ，１２ｂ  収納片
１３  フラップ
１４  封緘シート
１５  剥離糊
１６  開封窓
１７  収納用強接着糊
ｍｃ  開封ミシン目
【図１】
2005053563.tif 000003
【図２】
2005053563.tif 000004
【図３】
2005053563.tif 000005
【図４】
2005053563.tif 000006
【図５】
2005053563.tif 000007
【図６】
2005053563.tif 000008